(57)【要約】 【課題】折版屋根の頂部に架設された雪止めアングルＡに装着し、折版屋根の谷部空間に垂設して雪止め機能を果たす雪止め具において、雪止めアングルＡの装着作業性を向上させる（ワンタッチ装着を可能とする）。【解決手段】アングル水平板部ａに載置される載置部１と、載置部１の先部を下方に折り返してアングル水平板部の先端に係止する係止部２と、アングル垂下板部ｂに添い、アングル下方に突出する雪止め部３とを備えた本体Ｂにおいて、アングル垂下板部の下端縁に対応する位置に、基部５を本体に固着した止着バネ体Ｃの上下動を許容する透孔部４を形成し、前記止着バネ体Ｃの先部を、前記透孔部から雪止め部の前面側に突出させてなると共に、前記突出先部６が、アングル垂下板部の下端縁を回り込み前記下端縁の前面に立ち上がる係止凹部６１と、係止凹部の先方を前下方に庇状に設けたガイド板部６２を備える。【選択図】図４
2008231828.tif 000002
【特許請求の範囲】
【請求項１】
折版屋根の頂部に架設された雪止めアングルに装着し、折版屋根の谷部空間に垂設して雪止め機能を果たす雪止め具であって、アングル水平板部に載置される載置部と、載置部の先部を下方に折り返してアングル水平板部の先端に係止する係止部と、アングル垂下板部に添い、アングル下方に突出する雪止め部とを備えた本体において、アングル垂下板部の下端縁に対応する位置に、基部を本体に固着した止着バネ体の上下動を許容する透孔部を形成し、前記止着バネ体の先部を、前記透孔部から雪止め部の前面側に突出させてなると共に、前記突出先部が、アングル垂下板部の下端縁を回り込み前記下端縁の前面に立ち上がる係止凹部と、係止凹部の先方を前下方に向けて庇状に形成したガイド板部を備えてなることを特徴とする折版屋根谷用雪止め具。
【請求項２】
止着バネ体の基部を雪止め部の背面に固着し、透孔部を挿通して突出先部を雪止め部前面側に突出させてなる請求項1記載の折版屋根谷用雪止め具。
【発明の詳細な説明】
【技術分野】
【０００１】
本発明は、折版屋根の頂部に横架した雪止めアングルに吊下げ装着する谷用雪止め具に関するものである。
【背景技術】
【０００２】
折版屋根の雪止めには、折版屋根の頂部にアングルを横架する他、更に屋根の谷部分の雪の滑り落ちを防止するために、前記雪止めアングルに吊下げ装着する谷用雪止め具が採用されている。
【０００３】
前記の谷用雪止め具は、基本的にアングル水平板部に載置される載置部と、アングル垂下板部に添わせ、アングル下方に突出する雪止め部を備えた本体と、前記本体をアングルに止着する止着部材で構成されている。
【０００４】
止着構造としては、特許文献１（実公平７−３５９７５号公報）に、本体にボルトナットで装着した押圧板と本体とでアングル垂下板部を挟持する手段が開示されており、特許文献２（特開平９−２８７２５８号公報）に、アングル垂下板部が嵌合される装着溝を備えた止着部材を、本体の雪止め部にスライド固定可能に設けた手段が開示されている。
【０００５】
更に特許文献３（特開２０００−６４５３号公報）には、アングル水平板部の下面とアングル垂下板部の内側面に添うＬ状板を、本体とでアングルを挟持するように装着する構造が開示されており、特許文献４（特開２００６−２９１４８１号公報）に、本体の載置部と雪止め部におけるアングル外方箇所に差込孔を形成し、前記差込孔に差込板（止着部材）を挿通し、突出部分を本体に係止する構造が開示されている。
【０００６】
【特許文献１】実公平７−３５９７５号公報。
【特許文献２】特開平９−２８７２５８号公報。
【特許文献３】特開２０００−６４５３号公報。
【特許文献４】特開２００６−２９１４８１号公報。
【発明の開示】
【発明が解決しようとする課題】
【０００７】
前記した特許文献１，２，３の雪止め具における本体のアングル止着構造は、止着部材を本体にボルトナットで固定する手段を採用している。屋根上において、ボルトナットの締め付け作業が必要となり、煩瑣であると共に、屋根上の面倒な作業は安全性の点においても問題となる。
【０００８】
特許文献４に開示されている装着手段は、前記の作業性の問題を解消するために提案されたものであるが、差込片（止着部材）の差込作業並びに突出舌片の折り曲げ作業が必要である。
【０００９】
本発明は、更に作業性の改善を図った折版屋根谷用雪止め具を提案したものである。
【課題を解決するための手段】
【００１０】
本発明に係る折版屋根谷用雪止め具は、折版屋根の頂部に架設された雪止めアングルに装着し、折版屋根の谷部空間に垂設して雪止め機能を果たす雪止め具であって、アングル水平板部に載置される載置部と、載置部の先部を下方に折り返してアングル水平板部の先端に係止する係止部と、アングル垂下板部に添い、アングル下方に突出する雪止め部とを備えた本体において、アングル垂下板部の下端縁に対応する位置に、基部を本体に固着した止着バネ体の上下動を許容する透孔部を形成し、前記止着バネ体の先部を、前記透孔部から雪止め部の前面側に突出させてなると共に、前記突出先部が、アングル垂下板部の下端縁を回り込み前記下端縁の前面に立ち上がる係止凹部と、係止凹部の先方を前下方に向けて庇状に形成したガイド板部を備えてなることを特徴とするものである。
【００１１】
従って前記雪止め具を雪止めアングルに被せるように、係止部をアングル水平板部の先端に引っ掛けて、雪止め板部がアングル垂下板部に添うように本体全体を回動すると、アングル垂下板部の下端縁がガイド板部と当接して、ガイド板部を押し下げ、雪止め部がアングル垂下板部に添った状態に至ると、アングル垂下板部の下端縁が係止凹部に納まり、雪止め具が雪止めアングルに装着されるものである。
【発明の効果】
【００１２】
本発明の構成は上記の通りで、折版屋根の頂部に架設された雪止めアングルにおける折半屋根の谷部位置で、雪止め具を係止回動操作することのみで雪止めアングルに装着することができたもので、雪止め具の装着作業性が著しく改善されたものである。
【発明を実施するための最良の形態】
【００１３】
次に本発明の実施の形態について説明する。実施形態に示した雪止め具は、折版屋根の頂部に架設された雪止めアングルＡに装着するもので、前記雪止めアングルＡは、アングル水平板部ａとアングル垂下板部ｂとを備え、アングル垂下板部ｂは、屋根山側に配置されてなるものである。
【００１４】
雪止め具は、本体Ｂに止着バネ体Ｃを固着して形成されるもので、本体Ｂは、アングル水平板部ａに載置される載置部１と、載置部１の先部を下方に折り返してアングル水平板部ａの先端に係止する係止部２と、アングル垂下板部ｂに添い、アングル下方に突出する雪止め部３とを備えてなる。
【００１５】
また特に本体Ｂは、アングル垂下板部ｂの下端縁に対応する位置に、後述する止着バネ体Ｃの先部の上下動を許容する大きさの透孔部４を形成したものである。
【００１６】
止着バネ体Ｃは、透孔部４の上方位置の雪止め部３に、その基部５を鋲体Ｄで固着するもので、先部（突出先部）６は、上下方向の弾性移動可能な形状として、透孔部４を挿通して雪止め部３の前面側に突出させてなるもので、特に前記突出先部６は、アングル垂下板部ｂの下端縁を回り込み前記下端縁の前面に立ち上がる係止凹部６１と、係止凹部６１の先方を前下方に庇状に形成したガイド板部６２を備えてなる。
【００１７】
而して前記雪止め具は、折版屋根の頂部に架設された雪止めアングルＡに装着するもので、図３に例示するように、雪止め具を雪止めアングルＡに被せるように、係止部２をアングル水平板部ａの先端に引っ掛ける。
【００１８】
次に雪止め部３がアングル垂下板部ｂに添うように本体Ｂの全体を回動すると、図４に示すとおり、アングル垂下板部ｂの下端縁がガイド板部６２と当接し、ガイド板部６２を押し下げる。更に本体Ｂを回動させて、雪止め部３がアングル垂下板部ｂに添った状態に至ると、アングル垂下板部ｂの下端縁が係止凹部６１に納まり、雪止め具が雪止めアングルＡに装着される。
【００１９】
従って雪止めアングルＡへの本雪止め具の装着がワンタッチで行うことができ、雪止め具を雪止めアングルＡから分離させるには、アングル垂下板部ｂの下端縁が係止凹部６１から離脱しなければならないので、ガイド板部６２を押し下げで、装着時の回動方向と反対方向に回動すると取り外しが出来るが、ガイド板部６２の押し下げがなされない状態では、雪止めアングルからの離脱は生じない。
【００２０】
尚本発明は、前記の実施形態に限定されるものではなく、止着バネ体の形状及び固着位置は、所定の弾性動作を備えた突出先部６を備えるものであれば任意に定めることができる。
【図面の簡単な説明】
【００２１】
【図１】本発明の実施形態の全体の前方斜視図。
【図２】同後方斜視図。
【図３】同装着作業状態の説明図（装着前）。
【図４】同装着作業状態の説明図（装着中）。
【図５】同装着作業状態の説明図（装着後）。
【符号の説明】
【００２２】
Ｂ      本体
１        載置部
２        係止部
３        雪止め部
４        透孔部
Ｃ      止着バネ体
５        基部
６        突出先部
６１      係止凹部
６２      ガイド板部
Ｄ      鋲体
【図１】
2008231828.tif 000003
【図２】
2008231828.tif 000004
【図３】
2008231828.tif 000005
【図４】
2008231828.tif 000006
【図５】
2008231828.tif 000007